(57)【要約】【課題】制水扉の据え付けを行う際に据付現場での作業時間の短縮を図ることである。【解決手段】予め、制水扉本体２に基礎ボルト３を取り付け、水門壁の制水扉固定部の一部となるコンクリート４ａを打設して、扉体１と制水扉本体２の摺接部５の隙間調整（水密調整）を実施しておき、この水密調整を実施した制水扉を据付現場へ搬入して、制水扉本体２と一体の基礎ボルト３と水門壁躯体６に埋め込まれたアンカー部材７とを接合した後、制水扉本体２に打設されたコンクリート４ａと水門壁躯体６との間の空間を新たなコンクリート４ｂで埋めて水門壁の制水扉固定部の残部を形成することにより、制水扉本体２を水門壁躯体６に固定するようにした。これにより、現場での作業から手間のかかる水密調整がなくなる分、現場作業時間を大幅に短縮することができる。【選択図】図３
2008240418.tif 000002
【特許請求の範囲】
【請求項１】
予め、制水扉の扉体の後面と前面側で摺接する枠状の制水扉本体に、その前面側から後面側へ延びるように基礎ボルトを取り付け、この制水扉本体の後面に、水門壁の制水扉固定部の一部となるコンクリートを前記基礎ボルトの先端部を突出させた状態で打設して、前記扉体と制水扉本体の摺接部の隙間調整を実施しておき、前記隙間調整を実施した扉体および制水扉本体を、制水扉本体の後面側で水門壁の躯体と対向するように配して、前記基礎ボルトの先端部と前記水門壁躯体に埋め込まれたアンカー部材の躯体からの突出部とを接合した後、前記制水扉本体後面に打設されたコンクリートと水門壁躯体との間の空間を新たなコンクリートで埋めて前記水門壁の制水扉固定部の残部を形成することにより、前記制水扉本体を水門壁躯体に固定するようにした制水扉の据付方法。
【発明の詳細な説明】
【技術分野】
【０００１】
本発明は、水路の止水や流量規制のために設置される制水扉の据付方法に関する。
【背景技術】
【０００２】
制水扉は、下水処理場やポンプ場等の水処理設備において、水路の止水や流量規制のためによく設置される。この制水扉には、図１に一例を示すように、扉体１をその後面周縁部で枠状の制水扉本体２の前面側と摺接させ、扉体１の上部から上方に延びる棒状部材（図示省略）を上下方向に駆動することにより、扉体１を昇降させて水路の開閉を行うようにしたものが多い。
【０００３】
上記のような制水扉の据え付けを行うときの従来の手順を図４に、据付状態を図５に示す。従来の制水扉据付方法では、図４および図５に示すように、据付現場において、まず水門壁躯体６に埋め込まれたアンカー部材７の躯体６からの突出部に、制水扉用基礎ボルト３の先端部を溶接等により接合し（Ｂ１）、次に制水扉本体２を扉体１とともに後面側で水門壁躯体６と対向するように配して制水扉用基礎ボルト３に取り付け（Ｂ２）、この状態で扉体１と制水扉本体２の摺接部５の隙間調整（水密調整）を行った後（Ｂ３）、制水扉本体２後面と水門壁躯体６との間の空間をコンクリート４で埋めて水門壁の制水扉固定部を形成する（Ｂ４）ことにより、制水扉本体２を水門壁躯体６に固定していた。
【０００４】
ところで、前記水密調整は、水漏れ防止のために扉体１と制水扉本体２の摺接部５の隙間を所定寸法以下にするもので、高精度の調整が必要となる。このため、上述した従来の据付方法では、水密調整作業に手間がかかり、制水扉を据付現場に搬入してから据付作業が完了するまでの時間が長いという問題があった。また、水密調整を実施した制水扉本体２と水門壁躯体６の間にコンクリート４で制水扉固定部を形成する際には、コンクリート４が固まる過程で扉体１と制水扉本体２の摺接部５の隙間が変化することがあるため、コンクリート４固化中の摺接部５の隙間の確認や水密調整のやり直しにも手間がかかる。
【０００５】
一方、特許文献１には、戸当たり（制水扉本体）を水門壁の躯体に埋め込んだ戸当たり着脱部材に締結して、扉体や戸当たり等の更新を簡単に行えるようにした制水扉が記載されている。この制水扉は、据付時にも戸当たりをコンクリートで直接水門壁躯体に固定しないので、その分据付作業が従来よりも簡単である。しかし、戸当たりを戸当たり着脱部材に締結した後に水密調整を行う必要があり、これに手間がかかって現場作業時間が長くなることは従来と同じである。
【特許文献１】特開２００３−６４６５０号公報
【発明の開示】
【発明が解決しようとする課題】
【０００６】
本発明の課題は、制水扉の据え付けを行う際に据付現場での作業時間の短縮を図ることである。
【課題を解決するための手段】
【０００７】
上記の課題を解決するために、本発明の制水扉の据付方法は、予め、制水扉の扉体の後面と前面側で摺接する枠状の制水扉本体に、その前面側から後面側へ延びるように基礎ボルトを取り付け、この制水扉本体の後面に、水門壁の制水扉固定部の一部となるコンクリートを前記基礎ボルトの先端部を突出させた状態で打設して、前記扉体と制水扉本体の摺接部の隙間調整を実施しておき、前記隙間調整を実施した扉体および制水扉本体を、制水扉本体の後面側で水門壁の躯体と対向するように配して、前記基礎ボルトの先端部と前記水門壁躯体に埋め込まれたアンカー部材の躯体からの突出部とを接合した後、前記制水扉本体後面に打設されたコンクリートと水門壁躯体との間の空間を新たなコンクリートで埋めて前記水門壁の制水扉固定部の残部を形成することにより、前記制水扉本体を水門壁躯体に固定するようにした。
【０００８】
すなわち、制水扉を据え付ける際には、制水扉を据付現場へ搬入する前に工場等に持ち込んで、制水扉本体に基礎ボルトを取り付け、制水扉固定部の一部となるコンクリートを打設して、この状態で水密調整を実施しておき、据付現場では、制水扉用基礎ボルトと水門壁躯体のアンカー部材との接合と、制水扉固定部の残部のコンクリート打設だけを行うようにすることにより、現場での作業から手間のかかる水密調整がなくなる分、現場作業時間が短縮されるようにしたのである。
【発明の効果】
【０００９】
本発明の制水扉の据付方法は、上述したように、予め、制水扉本体を基礎ボルトおよび制水扉固定部の一部となるコンクリートと一体にした状態で水密調整を実施しておくようにして、現場での作業から手間のかかる水密調整をなくしたので、現場作業時間を大幅に短縮することができる。
【発明を実施するための最良の形態】
【００１０】
以下、図面に基づき、本発明の実施形態を説明する。この実施形態の説明では、従来の据付方法の説明と同様、図１に示した制水扉を対象とする。この制水扉は、前述したように、扉体１をその後面周縁部で枠状の制水扉本体２の前面側と摺接させ、扉体１の上部から上方に延びる棒状部材（図示省略）を上下方向に駆動することにより、扉体１を昇降させて水路の開閉を行うようにしたものである。
【００１１】
この制水扉の据付時の手順を図２に、据付状態を図３に示す。この制水扉の据え付けを行う際には、図２および図３に示すように、まず制水扉を据付現場へ搬入する前に工場等に持ち込んで、制水扉本体２にその前面側から後面側へ延びるように基礎ボルト３を取り付け（Ａ０１）、この制水扉本体２の後面に、水門壁の制水扉固定部の一部となるコンクリート４ａを基礎ボルト３の先端部を突出させた状態で打設して（Ａ０２）、扉体１と制水扉本体２の摺接部５の隙間調整（水密調整）を実施しておく（Ａ０３）。
【００１２】
そして、この水密調整を実施した制水扉を据付現場へ搬入し、扉体１および制水扉本体２を、制水扉本体２の後面側で水門壁の躯体６と対向するように配して、制水扉本体２と一体の基礎ボルト３の先端部と水門壁躯体６に埋め込まれたアンカー部材７の躯体６からの突出部とを溶接等により接合し（Ａ１）、制水扉本体２後面に打設されたコンクリート４ａと水門壁躯体６との間の空間を新たなコンクリート４ｂで埋めて水門壁の制水扉固定部の残部を形成する（Ａ２）ことにより、制水扉本体２を水門壁躯体６に固定する。その後、図示省略した棒状部材やその駆動部の水門壁への取り付けを行う。
【００１３】
この制水扉の据付方法では、上述したように、予め、制水扉本体２を基礎ボルト３および制水扉固定部の一部となるコンクリート４ａと一体にした状態で水密調整を実施しておき、据付現場では、制水扉の基礎ボルト３と水門壁躯体６のアンカー部材７との接合と、制水扉固定部の残部のコンクリート４ｂ打設だけを行うようにしたので、従来に比べて現場での作業から手間のかかる水密調整がなくなる分、現場作業時間が大幅に短縮される。
【００１４】
また、据付現場で制水扉固定部の残部のコンクリート４ｂ打設を行う際にも、予め制水扉本体２が基礎ボルト３および制水扉固定部の一部のコンクリート４ａと一体となっているので、コンクリート４ｂが固まる過程で扉体１と制水扉本体２の摺接部５の隙間が変化するおそれはなく、従来のようにコンクリート固化中に摺接部５の隙間の確認や水密調整のやり直しを行う必要がなく、現場作業の負荷が軽減される。
【００１５】
さらに、水密調整自体も、工場等の作業環境の整った場所で行うことができるので、従来のように足場等の作業環境の悪い据付現場で行うのに比べて作業しやすく、作業時間短縮と精度向上が図れる。
【図面の簡単な説明】
【００１６】
【図１】制水扉の主要部分の構成の一例を示す斜視図
【図２】実施形態の制水扉据付方法の手順を示すフローチャート
【図３】図２の据付方法で据え付けた制水扉の要部の横断面図
【図４】従来の制水扉据付方法の手順を示すフローチャート
【図５】図４の据付方法で据え付けた制水扉の要部の横断面図
【符号の説明】
【００１７】
１  扉体
２  制水扉本体
３  基礎ボルト
４ａ、４ｂ  コンクリート
５  摺接部
６  水門壁躯体
７  アンカー部材
【図１】
2008240418.tif 000003
【図２】
2008240418.tif 000004
【図３】
2008240418.tif 000005
【図４】
2008240418.tif 000006
【図５】
2008240418.tif 000007